(57)【要約】【課題】  摩擦等の外力による傷が表面に生じてもデザイン表示に与える影響が略なく、適用した機器に他の機器にないような美観性を与えると共に、この美観性の向上に伴うコストを抑えることができるデザイン表示装置を提供する。【解決手段】  前記鏡面体２の被覆体１との対向面が凹凸２ａに形成されているので、被覆体１に外光が入光し被覆体１を透過した光が鏡面体２の凹凸２ａで反射し、反射した光の一部が多方向に進んで被覆体１を透過し、他の反射した光が被覆体１で反射され再び鏡面体２で反射され以後同様に繰り返して反射を繰り一部の光が被覆体１を透過し、透過した光が干渉し合って干渉縞が形成され、強いインパクトのある美観性を与えることができると共に、被覆体１が多少傷ついても美観性に与える影響が少なく耐摩耗性を有し、特に光源をも必要とせずに外光のみによって美しい模様を生じさせることができる。【選択図】  図１
2005111747.tif 000002
【特許請求の範囲】
【請求項１】
鏡面体と、当該鏡面体を収納し、間隔を隔てて配設される半透明の被覆体とを有することを
特徴とするデザイン表示装置。
【請求項２】
前記請求項１記載のデザイン表示装置において、
前記鏡面体の被覆体との対向面が凹凸に形成されていることを
特徴とするデザイン表示装置。
【請求項３】
前記請求項１または２に記載のデザイン表示装置において、
前記被覆体がドーム状に形成されることを
特徴とするデザイン表示装置。
【請求項４】
前記請求項１ないし３に記載のデザイン表示装置において、
前記被覆体が鏡面体との対向面を着色若しくは加工して半透明となっていることを
特徴とするデザイン表示装置。
【請求項５】
前記請求項１ないし４に記載のデザイン表示装置において、
前記鏡面体が、熱、外力等の外的作用により、被覆体との対向面の形状を変化させることを
特徴とするデザイン表示装置。
【請求項６】
前記請求項１ないし５に記載のデザイン表示装置において、
前記鏡面体若しくは被覆体が、熱により配色を変化させることを
特徴とするデザイン表示装置。
【請求項７】
前記請求項１ないし６に記載のデザイン表示装置において、
前記鏡面体が半透明に形成され、被覆体との対向面の背面側に光源を配設することを
特徴とするデザイン表示装置。
【請求項８】
前記請求項７に記載のデザイン表示装置において、
本デザイン装置を用いた機器の動作状態に合わせて前記光源が発光することを
特徴とするデザイン表示装置。
【請求項９】
前記請求項１ないし８に記載のデザイン表示装置を少なくとも２つ用い、一方のデザイン表示装置若しくは当該デザイン装置を用いた機器が、他方のデザイン表示装置若しくは当該デザイン装置を用いた機器と接続することで、協調したデザイン表示を行うことを
特徴とするデザイン表示システム。
【請求項１０】
前記請求項１ないし８に記載のデザイン表示装置において、
ファンと、ファン駆動用のモータと、ヒータとを収容する筒状の本体ケースを備え、この本体ケースの外面に前記鏡面体、被覆体が順に配置されていることを
特徴とするデザイン表示装置。
【発明の詳細な説明】
【技術分野】
【０００１】
本発明は、外からの光を取り入れ反射させデザインを表示するデザイン表示装置及び光源を内部に有し光源からの光を透過させデザインを表示するデザイン表示装置に関する。このデザイン表示装置は、デザイン表示装置のみで使用することができ、さらに、ドライヤー、シェーバー、ヘアーブロッサー等の小型電気機器に適用することができ、さらにこれらの小型電気機器に限らず、マッサージ機等の大型電気機器にも適用でき、その適用範囲は幅広い。また、これらの機器に使用する場合には、単に表示部分として空いている部分に用いるだけでなく、スイッチ等の機動的な部分にも使用することができる。
【背景技術】
【０００２】
背景技術となるデザイン表示装置は、特許第３１６０６５４号公報に開示されるものがあり、以下図１４に基づいて説明する。
【０００３】
このデザイン表示装置はドライヤーに適用され、ドライヤーは、ヒータ１１７ａおよびファン１１６を回転駆動するモータ１１４を内蔵した筒形状の本体ケース１２３の全体もしくは一部を透視可能に形成し、この本体ケース１１８の少なくとも透視可能部１２３に対応する内部に、装飾シートからなる装飾体１２４が、筒形状に丸めた状態で差し込み装着されていることを特徴とする。このドライヤーの構成中デザイン表示装置は、ヒータ１１７、ファン１１６、モータ１１４等のドライヤーの基本的構成を除いた、透視可能部１２３及び装飾体１２４からなる。
【０００４】
このデザイン表示装置によれば、色違い、絵柄、その他の図柄模様などの異なる多種多様の装飾体１２４さえ用意しておけば、多種多様の表面装飾を温風乾燥機等の機器に適用して簡易にかつ低コストで機器のデザインを変更することができる。例えば、装飾体１２４を光沢紙にすることで、視角の変化により虹色色調の変化が見られ、機器の使用者に強いインパクトを与え、競合他社の機器との比較において優位性を発揮する。
【特許文献１】特許第３１６０６５４号公報
【発明の開示】
【発明が解決しようとする課題】
【０００５】
一般的に、機器自体への直接の着色、若しくは、装飾用の着色済みのプラスチックを組み付けて機器にデザインを施している。一方、前記デザイン表示装置は以上のように構成され、透視可能部１２３と装飾体１２４に分け、摩擦等の外力から装飾体１２４を透視可能部１２３が保護しているため、装飾体１２４が損傷し易い紙などに着色してなるもの用いることができ、着色を変えることによりデザインを容易に変更でき、外力による傷にも強いという効果を有している。しかし、前記デザイン表示装置も、表示されているデザインの観点からは、機器自体へ直接着色したもの等と比べて、あまり相違はない。確かに、透視可能部１２３を薄く着色等することにより直接着色したものとの差別化はできるかもしれないが、多種多様な製品群が流通している今日において購買者に与えるインパクトは弱いものとなってきているという課題を有する。
【０００６】
本発明は前記課題を解決するためになされたもので、摩擦等の外力による傷が表面に生じてもデザイン表示に与える影響が略なく、適用した機器に他の機器にないような美観性を与えると共に、この美観性の向上に伴うコストを抑えることができるデザイン表示装置を提供することを目的とする。
【課題を解決するための手段】
【０００７】
本発明に係るデザイン表示装置は、鏡面体と、当該鏡面体を収納し、間隔を隔てて配設される半透明の被覆体とを有するものである。このように本発明においては、鏡面体と、当該鏡面体を収納し、間隔を隔てて配設される半透明の被覆体とを有しているので、被覆体に外光が入光し被覆体を透過した光が鏡面体で反射し、反射した光が満遍なくいき渡るが、縁の部分は他の部分と比べ反射光の光の強さが小さくなり、これにより縁周辺にグラデーションの作用が生じ、見る人をひきつけることができる、デザイン表示が可能となる。
【０００８】
また、本発明に係るデザイン表示装置は必要に応じて、前記鏡面体の被覆体との対向面が凹凸に形成されているものである。このように本発明においては、前記鏡面体の被覆体との対向面が凹凸に形成されているので、被覆体に外光が入光し被覆体を透過した光が鏡面体の凹凸で反射し、反射した光の一部が多方向に進んで被覆体を透過し、他の反射した光が被覆体で反射され再び鏡面体で反射され以後同様に繰り返して反射を繰り一部の光が被覆体を透過し、透過した光が干渉し合って干渉縞が形成され、強いインパクトのある美観性を与えることができると共に、被覆体が多少傷ついても美観性に与える影響が少なく耐摩耗性を有し、特に光源をも必要とせずに外光のみによって美しい模様を生じさせることができる。
【０００９】
また、本発明に係るデザイン表示装置は必要に応じて、前記被覆体がドーム状に形成されるものである。このように本発明においては、前記被覆体がドーム状に形成されるので、水平方向に光を逃すことなく鏡面体から反射される光を満遍なく被覆体の面で受けることができ、ドーム状全面に干渉縞を形成することができ、使用者が本デザイン表示装置を適用した機器を使用している際にどの方向からも干渉縞を見ることができるできる。
【００１０】
また、本発明に係るデザイン表示装置は必要に応じて、前記被覆体が鏡面体との対向面を着色若しくは加工して半透明となっているものである。このように本発明においては、前記被覆体が鏡面体との対向面を着色若しくは加工して半透明となっているので、光が被覆体の内部で減衰した状態で被覆体の内面で反射し、被覆体の内面を透過した光が鏡面体と反射し被覆体の内面で透過若しくは反射し、反射した光は再び鏡面体で反射し被覆体の外面に進み以後透過・反射を繰り返すが、反射を繰り返す場合に被覆体の内部を光が進まないために減衰する光が少なく、被覆体の内面を透過した光の強さが大きく、明確な干渉縞を形成することができ、外光の光の強さが小さい場合であっても確実に干渉縞を形成することができる。また、蛍光塗料によって鏡面体を着色している場合には、例えば、就寝前までに蛍光塗料に光が蓄積し、電気を消した就寝後暫くの間外光がない場合であっても干渉縞が表れ、光源なくともデザイン表示装置を楽しむことができる。
【００１１】
また、本発明に係るデザイン表示装置は必要に応じて、前記鏡面体が、熱、光、外力等の外的作用により、被覆体との対向面の形状を変化させるものである。このように本発明においては、前記鏡面体が、熱、光、外力等の外的作用により、被覆体との対向面の形状を変化させるので、熱、光、外力等の外的作用を働くことにより鏡面体の形状が変化し、凸凹に変化をきたし表示される干渉時にも変化を与えいつまでも飽きの来ないデザイン表示を行うことができる。また、一般に熱、光、外力等の外的作用が働くということは、本デザイン表示装置を機器に適用した場合には、機器の動作状態、状態変化を伴うことが多く、使用者に対して機器の動作状態、状態変化を報知することができる。
【００１２】
また、本発明に係るデザイン表示装置は必要に応じて、前記鏡面体若しくは被覆体が、熱により配色を変化させるものである。このように本発明においては、前記鏡面体若しくは被覆体が、熱により配色を変化させるので、鏡面体が熱により配色を変化させる場合には反射光の色が変化することになり干渉縞の色が変更することになり、干渉縞自体の表示だけであっても幻想的な表示を達成しているのに、これに加えてより見る人の興味を引くことができるデザイン表示を行うことができ、一方で、被覆体が熱により配色を変化させる場合には外光が入射時に変化し被覆体の色となり被覆体の色を変えるだけでなく干渉縞の色を変えることができ、さらに、光源がある場合にあっては光源の強さによるが干渉縞と被覆体の配色が異なることとなりより際立って干渉縞が映し出されることとなる。
【００１３】
また、本発明に係るデザイン表示装置は必要に応じて、前記鏡面体が半透明に形成され、被覆体との対向面の背面側に光源を配設するものである。このように本発明においては、前記鏡面体が半透明に形成され、被覆体との対向面の背面側に光源を配設するので、外光の光の強さが配設した光源の光の強さより小さい場合には光源からの光が半透明の鏡面体を透過し、鏡面体が凸凹に形成され、多方向に透過した光が進み、これらの光がお互いに干渉し合って干渉縞を形成し、逆に外光の光の強さが配設した光源の光の強さより大きい場合には、外光が被覆体を透過し鏡面体で反射し多方向に進み、反射光がお互いに干渉し合って干渉縞を形成し、外光の光の強さが配設した光源の光の強さと略同じ場合には外光による干渉縞及び光源による干渉縞形成され、様々な干渉縞を形成することができる。したがって、光源の光の強さを調節できるようにすれば、この様々な干渉縞を一つのデザイン表示装置により楽しむことができる。
【００１４】
また、本発明に係るデザイン表示装置は必要に応じて、本デザイン装置を用いた機器の動作状態に合わせて前記光源が発光するものである。このように本発明においては、本デザイン装置を用いた機器の動作状態に合わせて前記光源が発光するので、ある動作状態のときに光源を発光させ、他の動作状態のときに光源を発光させないようにすれば、ある動作状態であるか否かを使用者が即座に判断することができ、さらに、光源を複数有して発光パターンと動作状態を関連付けたり、光源の光の強さを調節できるようにしこの光の強さと動作状態を関連付けたりして、複数の動作状態を使用者が即座に認識することができる。例えば、バイブレータを利用したマッサージ機に本デザイン表示装置を適用した場合には、使用者がスイッチを押下して使用を開始すると、バイブレータが振動して使用者の患部にマッサージを行うと供に、光源が発光し鏡面体を透過し光を多方向に屈折させて被覆体を透過し、透過した光が互いに干渉し合って干渉縞が形成され、美しい干渉縞を見ながらマッサージを受けることができる。また、第三者は、干渉縞が美しく輝いているので、マッサージ機が動作していることを知ることができると共に、美しい干渉縞に興味を持つこととなる。
【００１５】
また、本発明に係るデザイン表示システムは必要に応じて、デザイン表示装置を少なくとも２つ用い、一方のデザイン表示装置若しくは当該デザイン装置を用いた機器が、他方のデザイン表示装置若しくは当該デザイン装置を用いた機器と接続することで、協調したデザイン表示を行うものである。このように本発明においては、デザイン表示装置を少なくとも２つ用い、一方のデザイン表示装置若しくは当該デザイン装置を用いた機器が、他方のデザイン表示装置若しくは当該デザイン装置を用いた機器と接続することで、協調したデザイン表示を行うので、デザイン表示装置一つでも美しい干渉縞を形成することもできるが、複数のデザイン表示装置とを組み合わせて全体としてより美しい干渉縞の集合を形成することができる。
【００１６】
また、本発明に係るデザイン表示装置は必要に応じて、ファンと、ファン駆動用のモータと、ヒータとを収容する筒状の本体ケースを備え、この本体ケースの外面に前記鏡面体、被覆体が順に配置されているものである。このように本発明においては、ファンと、ファン駆動用のモータと、ヒータとを収容する筒状の本体ケースを備え、この本体ケースの外面に前記鏡面体、被覆体が順に配置されているので、ドライヤーの意匠性を著しく向上させることができると共に、鏡面体の凸凹を変更することで生じる干渉縞の形状を変更することができ、鏡面体の色を変更することで干渉縞の色を変更することもでき、鏡面体の形状、色を変えることは製造上他の構成要素を変更させることに比べ容易にでき、通常デザイン変更に伴う莫大に生じるコストを抑えることができる。
【発明を実施するための最良の形態】
【００１７】
（本発明の第１の実施形態）
本発明の第１の実施形態に係るデザイン表示装置について図１ないし図３に基づいて説明する。図１は本実施形態に係るデザイン表示装置の被覆体１及び鏡面体２の斜視図、図２は本実施形態に係るデザイン表示装置の表面加工した場合の被覆体の断面図、図３は本実施形態に係るデザイン表示装置の被覆体の要部拡大断面図と斜視図である。
【００１８】
本実施形態に係るデザイン表示装置は、着色された表面を有する鏡面体２と、この鏡面体２を収納し、間隔を隔てて配設される半透明の被覆体１とを有し、鏡面体２の被覆体１との対向面が凹凸に形成され、被覆体１がドーム状の一種である中空３ａを有する半球状に形成されている構成である。
【００１９】
前記鏡面体２は、光の反射率が高い鏡面で形成され、例えば、金属表面加工プラスチックフィルム、オーロラ（調）フィルムが該当するが、光の反射率が高いものであれば他のものでもよい。金属表面加工フィルムは、プラスチックフィルムの表面に金属蒸着膜を形成したものであり、一般的には、密閉性、光遮断性を必要とする食品包装材に用いられている。プラスチックフィルムは、ポリエチレン（低密度ポリエチレン、高密度ポリエチレン、ＥＶＡ樹脂）、ポリプロピレン、ポリスチレン、ポリ塩化ビニル、ポリ塩化ビニリデン、ポリメチルペンテン等の熱可塑性樹脂を成形したものである。この熱可塑性樹脂には、可塑剤、熱安定剤、酸化防止剤、紫外線吸収材、充填材、着色材、燃焼防止剤、発泡剤、離型材、表面処理剤等を副材料として用いたものでもよい。金属蒸着膜に用いられる金属としては、通常アルミニウムが用いられるが、金、銀、銅、スズ等を用いてもよく、特に、本デザイン表示装置においては、金属蒸着膜に高い光反射性以外の性質を求めていないので、この高い光反射性を有するものであれば他の金属でもよい。オーロラ（調）フィルムは、屈折率の異なる複数のプラスチックフィルムを重ね合わせたものであり、このように屈折率の異なるフィルムが重ねられており反射光が干渉を生じ多彩色（虹色）に見えるため、ラッピングに用いられたりする。
【００２０】
また、鏡面体２は凸凹２ａが形成されており、この凸凹２ａは大きさが均一なものであってもよいし不均一なものであってもよい。凸凹２ａの形成方法は、種々の方法を適用でき、簡易な方法として手で鏡面体２を適当に何回も折って広げると凸凹２ａが形成される。凸凹２ａの金型に鏡面体２を挟み機械を用いて加圧して凸凹２ａを形成してもよい。前記プラスチックフィルムの形成動作において凸凹２ａを形成してもよく、この場合には、鏡面体２を形成した後に凸凹２ａを形成する場合と異なり、片面だけを凸凹２ａに形成することができる。凸凹２ａの大きさについては、後記する。
【００２１】
前記被覆体１は、半球状に形成され半透明であり、被覆体１を成形する物質は多種なものが考えられるポリプロピレン、一般用ポリスチレン、ポリエチレン等の熱可塑性樹脂、熱硬化性樹脂、ガラス等が該当する。前記プラスチックフィルムと同様に、副材料を用いたものでもよい。具体的に例示した物質以外であっても、中空３ａを有する半球状に成形することができ、半透明であればよい。さらに、透明であっても表面加工することで容易に半透明にすることができるので、透明な物質であってもよい。表面加工した被覆体１の断面図が図２である。
【００２２】
この被覆体１と鏡面体２とを、鏡面体２の縁２ｂに接着剤を塗布して被覆体１の縁１ｃと鏡面体２の縁２ｂとを合わせ、接着剤を膠着させ、接着させる。接着剤と同様に両面テープを用いてもできる。被覆体１と鏡面体２とが接合状態になればよく、接着剤や両面テープを用いることなく、熱圧着や嵌合により接合させてもよい。図１（ａ）は鏡面体１を示し、図１（ｂ）は鏡面体２と被覆体１とを接合させた形態を示す。
【００２３】
鏡面体２と被覆体１とは接合することで、被覆体１の中空３ａを閉じた領域としている。このようにすることで、中空３ａへの入射光若しくは入射光が反射した反射光が外部に出射されるためには鏡面体２又は被覆体１を透過する必要があり、入射光を有効に使うことができる。この閉じた被覆体１を透過して中空３ａに入射してきた光は、鏡面体２で反射して再び被覆体１で反射若しくは透過する。被覆体１で反射した光は鏡面体２で再び反射し、以降減衰しながら繰り返す。鏡面体２には凸凹２ａが形成されているため、多方向に反射し、反射した光が互いに干渉し合って、被覆体１に干渉縞を形成する。ここで生じる干渉縞は、被覆体１を透過する光、鏡面体で一以上反射した光が幾重にも重なって形成されているため、まるで立体的に浮かび上がったように見える。
【００２４】
凸凹２ａの大きさは、鏡面体２と被覆体１との離間距離とも関係し、この離間距離が長い場合に凸凹２ａが小さければ視認できる程の干渉縞が形成されず、逆に、離間距離が短い場合に凸凹２ａが大きければ干渉し合う光が少なく干渉縞が表れないか、表れたとしても単純な干渉縞しか形成されない。
【００２５】
被覆体１を半透明にするには、成形する物質が元々色を持っているか、若しくは、着色されたか、又は、被覆体１を成形した後に表面を着色したか、若しくは、表面加工したかの種々の方法がある。さらに、表面を着色または表面加工する場合には、外面１ｂにするか内面１ａにするかの方法がある。ここで、外面１ｂと内面１ａに施すかでは、視認される干渉縞に相違が生じる。結果的には、内面１ａを着色又は表面加工した場合が、外面１ｂを着色又は表面加工した場合に比べて、強く干渉縞が視認することができる。以下、すりガラスのように表面加工した場合について理由を説明する。着色した場合についても同様な理由で説明できる。
【００２６】
内面１ａに表面加工した場合には、外光がまず被覆体１の外面１ｂで屈折して被覆体１の内部を減衰しながら進み、被覆体１の内面１ａまで到達するとこの被覆体１の内面１ａが表面加工されているので、一部の光が被覆体１の内面１ａも透過し中空３ａに到達し、他の光が被覆体１の内面１ａで反射する。被覆体１の内面１ａで反射した光により被覆体１は白っぽく見える。中空３ａに到達した光は、鏡面体２で反射し一部の光が被覆体１の外面１ｂを透過し、他の光が被覆体１の外面１ｂで反射し鏡面体２で反射し再び被覆体１の外面１ｂに到達する。この場合には光が被覆体１と鏡面体２との間で反射する光は被覆体１の内部を進まないため減衰しない。
【００２７】
一方、被覆体１の外面１ｂに着色又は表面加工した場合には、外光がまず被覆体１の外面１ｂで反射され、一部の光が被覆体１の内部を減衰しながら進んでいき、被覆体１の内面１ａで屈折して鏡面体２で反射して再び被覆体１の内面１ａで屈折し被覆体１の内部を減衰しながら進んでいき、被覆体１の外面１ｂに到達した光のうち一部が被覆体１の外面１ｂを透過し、他の光が被覆体１の外面１ｂで反射して再び減衰しながら被覆体１の内部を減衰しながら進んでいき、被覆体１の外面１ｂで屈折して鏡面体２で反射し再び被覆体１の内面１ａで屈折し被覆体１の内部を減衰しながら進んでいき、被覆体１の外面１ｂに到達し以下繰り返す。したがって、被覆体１の外面１ｂに視認される干渉縞が形成されるためには、鏡面体２で反射した光が何回も被覆体１の内部を透過しなければならず、透過する度に光が減衰するため、最終的に被覆体１の外面１ｂを透過できた光量は前記被覆体１の内面１ａに着色又は表面加工した場合と比べて少ない。さらに、被覆体１の外面１ｂに着色又は表面加工した場合は、外光が被覆体１の外面１ｂで直接反射した光量が、被覆体１の内面１ａに着色又は表面加工した場合と比べて大きい。したがって、被覆体１の内面１ａを着色又は表面加工した場合が鏡面体２で反射し被覆体１を透過した光量が外面１ｂを着色又は表面加工した場合に比べて大きくて、強く干渉縞が形成されることになる。
【００２８】
このように本実施形態に係るデザイン表示装置によれば、着色された表面を有する鏡面体２と、この鏡面体２を収納し、間隔を隔てて配設される半透明の被覆体１とを有し、鏡面体２の被覆体１との対向面が凹凸２ａに形成されているので、被覆体１に外光が入光し被覆体１を透過した光が鏡面体２の凹凸２ａで反射し、反射した光の一部が多方向に進んで被覆体１を透過し、他の反射した光が被覆体１で反射され再び鏡面体２で反射され以後同様に繰り返して反射を繰り一部の光が被覆体１を透過し、透過した光が干渉し合って干渉縞が形成され、強いインパクトのある美観性を与えることができると共に、被覆体１が多少傷ついても美観性に与える影響が少なく耐摩耗性を有し、特に光源をも必要とせずに外光のみによって美しい模様を生じさせることができる。
【００２９】
また、被覆体１がドーム状の一種である中空３ａを有する半球状に形成されているので、鏡面体２から反射される光を満遍なく被覆体１の面で受けることができ、ドーム状全面に干渉縞を形成することができ、使用者が本デザイン表示装置を適用した機器を使用している際にどの方向からも干渉縞を見ることができる。
【００３０】
また、前記被覆体１が鏡面体２との対向面を着色若しくは加工して半透明となっているので、光が被覆体１の内部で減衰した状態で被覆体１の内面１ａで反射し、被覆体１の内面１ａを透過した光が鏡面体２と反射し被覆体１の内面１ａで透過若しくは反射し、反射した光は再び鏡面体２で反射し被覆体１の外面１ｂに進み以後透過・反射を繰り返すが、反射を繰り返す場合に被覆体１の内部を光が進まないために減衰する光が少なく、被覆体１の内面１ａを透過した光量が大きく、明確な干渉縞を形成することができ、外光の光量が少ない場合であっても確実に干渉縞を形成することができる。また、蛍光塗料によって鏡面体２を着色している場合には、例えば、就寝前までに蛍光塗料に光が蓄積し、電気を消した就寝後暫くの間外光がない場合であっても干渉縞が表れ、光源なくともデザイン表示装置を楽しむことができる。蛍光塗料の蛍光剤の量は、人が寝つくまでの時間を考慮して決定することが望ましい。
【００３１】
また、図３（ａ）に示すように被覆体１の内面を等間隔に波状に形成することもでき、この場合には縞模様が外観でき（図３（ｂ）参照）、さらに、鏡面体２を接合することで干渉縞がこの波状のラインと共に美しい縞模様を形成する。また、被覆体１の内面は波状以外の形状にも形成することができ、例えば、三角・亀甲・石畳・菱・格子・縞等の幾何学模様等に形成することもでき、この場合にはそれぞれの模様がまず表れ、それに重量的に干渉縞が形成される。図３（ａ）に示す要部拡大断面図中で、小さな凸凹が前記した被覆体１を半透明にするためのものであり、大きな凸凹が縞模様を外観させるためのものである。この小さな凸凹はこの大きさに限らずより微小な凸凹であってもよい。
【００３２】
（本発明の第２の実施形態）
本発明の第２の実施形態に係るデザイン表示装置を適用したマッサージ機について図４または図５に基づいて説明する。図４は本実施形態に係るデザイン表示装置を適用したマッサージ機の斜視図と断面図、図５は本実施形態に係るマッサージ機をリーフ状ステージ及びリーフ状ステージに載置した状態斜視図である。
【００３３】
本実施形態に係るマッサージ機は、着色された表面を有する鏡面体２と、この鏡面体２を収納し、間隔を隔てて配設される半透明の被覆体１とを有し、鏡面体２の被覆体１との対向面が凹凸２ａに形成され、被覆体１がドーム状の一種である中空３ａを有する半球状に形成された前記第１の実施形態に係るデザイン表示装置を用い、このデザイン表示装置以外に、被覆体１と同一形状を有し内部が見えないように着色された当接部４と、この当接部４と被覆体１とを接合する接合部５と備える構成である。ここで、鏡面体２は、光を反射させると共に透過させる性質をもつ、例えば、オーロラ（調）フィルムを用いるとする。図４（ａ）はマッサージ機の斜視図を示す、図４（ｂ）は図４（ａ）の断面図を示す。
【００３４】
前記当接部４の内部には、マッサージ機全体を振動させるバイブレータ部６、緑のＬＥＤランプ７、バイブレータ部６及びＬＥＤランプ７に電流を供給する電池部８が内設され、基盤９によりこれらバイブレータ部６、ＬＥＤランプ７及び電池部８が回路化されている。接合部５の一部はスイッチ１０となっており、このスイッチ１０を押下することにより電池部８からバイブレータ部６及びＬＥＤランプ７へ電流が供給されバイブレータ部６が振動し、ＬＥＤランプ７が緑に点灯する。スイッチ１０の押下を止めると電池部８からの電流がバイブレータ部６及びＬＥＤランプ７へ供給されなくなりバイブレータ部６が振動しなくなり、ＬＥＤランプ７が消灯する。
【００３５】
このマッサージ機には、載置用の台であるリーフ状ステージ１１があり、ＬＥＤランプ７消灯時であっても外光により干渉縞を視認することができ、リーフ状ステージ１１と相まって美しい意匠を形成している。図５（ａ）はリーフ状ステージ１１の斜視図、図５（ｂ）はリーフ状ステージ１１にマッサージ機を載置させた形態を示す。
【００３６】
使用者がマッサージ機を患部に当接し、この当接した状態でマッサージ機のスイッチ１０を押下する。マッサージ機のスイッチ１０が押下されることにより、マッサージ機のバイブレータ部６が振動をし使用者の患部にマッサージを行うと共に、マッサージ部のＬＥＤランプ７が緑に点灯する。当接部４と鏡面体２とが形成する中空３ｂの中がＬＥＤランプ７に照らされ、ＬＥＤランプ７の光が透過性を有する鏡面体２を透過し、屈折により多方向に光が進み被覆体１を透過又は反射し、反射した光は再び鏡面体２で反射して被覆体１を透過又は反射し以降同様に透過するまで反射を繰り返す。このようにして被覆体１を透過した光が互いに干渉しあって干渉縞を形成する。
【００３７】
このように本実施形態に係るデザイン表示装置を適用したマッサージ機によれば、透過性を有する鏡面体２、被覆体１、被覆体１と同一形状を有し内部が見えないように着色された当接部４及びこの当接部４と被覆体１とを接合する接合部５を備え、さらに当接部４と鏡面体２とにより形成された中空３ｂには電池部８、スイッチ１０、バイブレータ部６及びＬＥＤランプ６が回路を構成して配設されているので、使用者がスイッチ１０を押下して使用を開始すると、バイブレータ部６が振動して使用者の患部にマッサージを行うと供に、ＬＥＤランプ７が点灯し鏡面体２を透過し光を多方向に屈折させて被覆体１を透過し、透過した光が互いに干渉し合って干渉縞が形成され、美しい干渉縞を見ながらマッサージを受けることができる。また、第三者は、干渉縞が美しく輝いているので、マッサージ機が動作していることを知ることができると共に、美しい干渉縞に興味を持つこととなる。また、当接部４には振動するバイブレータ部６を内設しており、被覆体１と同様な物質で成形してもよいが強度の高いもので成形することが好ましく、例えば、アルミニウム合金等の軽金属合金で成形することができる。被覆体１の内部は空洞であり、当接部４の内部にはバイブレータ部６等の素子が配設されており、さらに、当接部４の方が重い材質で成形しており、当接部４の方が鉛直下方向を向き、被覆体１の方が鉛直上方向を向くため、被覆体１は外からの光を十分に受けることができると共に、当接部４は使用者の患部に容易に当接ができる。
【００３８】
なお、本実施形態のようにＬＥＤランプ等の光源を有している場合には、前記第１の実施形態で説明した鏡面体２の凸凹２ａの大きさに影響を与え、光源の強さによっては小さい凸凹２ａであっても干渉縞を形成することができる。
また、本実施形態に係るマッサージ機においては、鏡面体２を余裕をもって被覆体１に張設することもでき、マッサージ機の振動等の外力を用いて鏡面体２が振動することで、鏡面体２の凸凹２ａの形状が変化し反射する光の進行方向も変化し、さらに、鏡面体２と被覆体１とが相対移動しており離間距離も変化し、形成される干渉縞も絶えず変化し、使用者等に飽きることなく興味を引き出すことができる。振動が発生する機器等には全て適用でき、例えば、ドライヤー、ヘアーブロッサー、シェーバー等に適用できる。
【００３９】
また、本実施形態に係るマッサージ機においては、鏡面体２と被覆体１との成形材質を異ならせることもでき、特に、熱に対する膨張率の異なるもので成形し熱を加えることで、鏡面体２と被覆体１とが相対的に移動することにより離間距離も変化し、また、移動するスピードも異なるため、形成される干渉縞も変化し、使用者等に変化する干渉縞を見せることができる。熱を生じる機器等には全て適用でき、例えば、ドライヤー、ヘアーブロッサー等に適用できる。
【００４０】
（本発明の第３の実施形態）
本発明の第３の実施形態に係るデザイン表示システムについて図６に基づいて説明する。図６は本実施形態に係るリーフ状ステージの断面図である。
本実施形態に係るデザイン表示システムは、前記第２の実施形態のマッサージ機と同様に構成され、さらに、前記リーフ状ステージ１１の構成を異にしたものである。前記第２の実施形態においてはリーフ状ステージ１１は載置台に過ぎなかったが、本実施形態においてはリーフ状ステージ１１自体をデザイン表示装置とし、マッサージ機とリーフ状ステージ１１とを接続することで協調したデザイン表示を行うことを特徴とするものである。但し、マッサージ機のＬＥＤランプ７は青色とする。
【００４１】
前記リーフ状ステージは、図６に示すように、外形を底部１１ａと蓋部１１ｂとが形成し、底部１１ａの内面全面を鏡面体２で形成し、蓋部１１ｂの内面に緑のＬＥＤランプ１１ｃ及びＬＥＤランプ１１ｃに電流を供給する電池部１１ｄを配設した構成である。蓋部１１ｂの外面のマッサージ機を載置させる部分に、凸状のボタン１１ｅを設け、マッサージ機を載置させることによりボタン１１ｅが落ち込んで電池部１１ｄから電流が供給されＬＥＤランプ１１ｃが点灯されるようになっている。マッサージ機をリーフ状ステージ１１から取り外すと、凸状のボタン１１ｃが上昇して電池部１１ｄから電流が供給されずＬＥＤランプ１１ｃが消灯状態となる。蓋部１１ｂは、形状がことなるだけで被覆体１と同様に構成される。さらに、マッサージ機の当接部４の底面中心部には、凸状のボタン１１ｃの凸に対応した凹（図示しない）が形成され、この凹に凸状のボタンに嵌合することで、マッサージ機のＬＥＤ７ランプにのみ電池部から電流が供給されるようにした。
【００４２】
使用者がマッサージ機を使用する場合については、既に第２の実施形態に係るマッサージ機で説明したので省略する。マッサージ機を使用し終わった使用者は、マッサージ機をリーフ状スタンド１１に載置する。マッサージを載置することにより、当接部４の底面中心部の凹にリーフ状スタント１１のボタン１１ｅが嵌合し、マッサージ機のＬＥＤランプ７に電池部８から電流が供給され、青色のＬＥＤランプ７が点灯し、マッサージ機の被覆体１に美しい青色の干渉縞が形成される。同時に、凸状のボタン１１ｅが落ち込むことで、電池部１１ｄから緑色のＬＥＤランプ１１ｃに電流が供給され点灯し、蓋部１１ｂにも美しい緑色の干渉縞が形成される。リーフ状スタンド１１が緑色の干渉縞を形成し葉をイメージされ、マッサージ機が青色の干渉縞を形成し水滴をイメージし、これらのイメージが相まって水滴が葉の上に乗っている美しい意匠を醸し出している。
【００４３】
このように本実施形態に係るデザイン表示システムによれば、デザイン表示装置を用いたマッサージ機が、デザイン表示装置を用いたリーフ状スタンド１１に接続することにより協調したデザイン表示を行っているので、デザイン表示装置一つでも美しい干渉縞を形成することもできるが、複数のデザイン表示装置とを組み合わせて全体としてより美しい干渉縞の集合を形成することができる。
【００４４】
（本発明の第４の実施形態）
本発明の第４の実施形態に係るデザイン表示システムを適用したドライヤーについて図７ないし図１３に基づいて説明する。図７は本実施形態に係るデザイン表示システムを適用したドライヤーの側面図、図８は本実施形態に係るデザイン表示システムを適用したドライヤーの側面の断面図、図９ないし図１２は本実施形態に係るデザイン表示システムを適用したドライヤーの正面の断面図、図１３は本実施形態に係るデザイン表示システムを適用したドライヤーの側面図である。ここで、図９ないし図１２は図８のαの矢視断面図である。
【００４５】
本実施形態に係るドライヤーは、説明に用いるドライヤーは、図７に示すように、後方から前方にいくに従って径が小さくなる円筒状の本体部２１と、この本体部２１の前方と前介在輪１９を介して接合し、吹き出される空気を一定方向に整風するノズル２２と、本体部２１の後方と後介在輪２０を介して接合し、空気のみを吸い込めるように設けた吸込網１２ａを有する吸込部１２と、本体部２１の下方に延出している下方延出部分と枢着し、使用者が操作する第１のスイッチ１３ａ及び第２のスイッチ１３ｂとを有し、使用時に使用者が手に持つ手持部１３とからなる。本体部２１は、モータ１４、このモータ１４を保護・支持するモータケース１５、モータ１４の回転により回転軸を介して吸込部１２から供給される空気を前方に送り出すファン１６と、本体部１０の前方に位置しファン１６により送り出された送風を温風に変えるために加熱するヒータ１７ａを内面に貼設したヒータ部１７と、モータケース１５と接合し、モータケース１５、ファン１６及びヒータ部１７を被包し、本体部２１の円筒状とする本体ケース１８とを備え、本体ケース１８の外面に沿って筒状に形成された凸凹２ａの表面を有し着色された鏡面体２と、この鏡面体２に沿って筒状に形成された半透明の被覆体１とからなり、鏡面体２と被覆体１とが所定間隔を空けている構成である。
【００４６】
このように本実施形態に係るデザイン表示システムを適用したドライヤーによれば、ファン１６と、ファン駆動用のモータ１４と、ヒータ１７ａとを収容する筒状の本体ケース１８を備え、この本体ケース１８の外面に前記鏡面体２、被覆体１が順に配置されているので、ドライヤーの意匠性を著しく向上させることができると共に、鏡面体２の凸凹２ａを変更することで生じる干渉縞の形状を変更することができ、鏡面体の色を変更することで干渉縞の色を変更することもでき、鏡面体の形状、色を変えることは製造上他の構成要素を変更させることに比べ容易にでき、通常デザイン変更に伴う莫大に生じるコストを抑えることができる。
【００４７】
なお、本実施形態に係るドライヤーにおいては、本体ケースの全周に渡って、鏡面体２、被覆体１を形成しているが、図１０のように円筒の全周ではなく一部にのみ鏡面体２と被覆体１とを形成し、被覆体１の残りの部分を透視可能な透明体２３で形成し、被覆体１の接面と透明体２３の接面とを接合し、鏡面体２の残りの部分を模様、色彩の意匠を施した装飾シートからなる表示体２４で形成した構成にすることもできる。ここで、表示体２４と透明体２３とを離間させて空間を設けてもよい。図１０では図９と比べると、本体ケース１８を変形させているが、本体ケース１８を変形させることなく、表示体２４を本体ケースに貼着させることもできる。透明体２３は被覆体１と同様に樹脂、ガラス等を成形したものであり、表示体２４は特に高い光の反射率も要求されず、紙等に配色を施したものが該当する。
【００４８】
また、より単純に、突出した本体ケース１８の上層に表示体や透明体２３を形成することなく、そのまま本体ケース１８を剥き出しにしてもよい。
また、本実施形態に係るドライヤーにおいては、図１１に示すように、図９で用いた被覆体１をそのまま用い、本体ケース１８に鏡面体２だけでなく表示体２４も貼着した構成にすることもできる。この場合に、図１０に示すように、透明体２３を表示体２４対応部分に形成していないが、被覆体２の透明性により表示体２４を視認できるようにする必要がある。例えば、被覆体２を乳白色に着色し、表示体２４を粗いドッド径を一定方向に進むにつれて径を大きくすることによりグラデーション作用を生じさせることができる。また、図１０に示すように、透明体２３を表示体２４対応部分に形成してもよい。
【００４９】
また、本実施形態に係るドライヤーにおいては、図１２に示すように、図９で用いた被覆体１をそのまま用い、本体ケース１８を一部を平板としこの平板部分に鏡面体２を配設した構成にすることもできる。この場合のドライヤーの側面図を示すものが図１３であり、このドライヤー中の「Ｎｅｏ  Ｃａｒｅ」というロゴを被覆体１の外面に着色して形成することで、干渉縞の上にロゴが表れ、よりロゴを協調した表示を干渉縞の美しい表示の上に重ねてでき、より使用者にインパクトを与えることができる。特に、ロゴの色が干渉縞の色と反対色の場合には際立つ。ここで、「Ｎｅｏ  Ｃａｒｅ」というロゴを取り囲む矩形部分に鏡面体２を配設している。  また、本実施形態に係るドライヤーにおいては、一つのデザイン表示装置のみ適用しているが、複数のデザイン表示装置を適用することもできる。
【００５０】
また、本実施形態に係るドライヤーにおいては、鏡面体２の凸凹２ａを形成しない場合であっても、円筒中心から縁にいくに従い、鏡面体の反射光が弱くなっていき、グラデーションの効果を生じさせることができ、美しい意匠により使用者の興味を引くことができる。
【００５１】
（本発明の第５の実施形態）
本発明の第５の実施形態に係るデザイン表示システムを適用したドライヤーについて説明する。
本実施形態に係るドライヤーは、前記第４の実施形態に係るドライヤーと同様に構成され、鏡面体２が熱により色が変化するサーモラベルのような部材からなり常温で青であって所定温度以上になると赤になり、鏡面体２と本体ケース１８との間に熱により一部が膨張する金属板を挿入し、被覆体１と鏡面体２との間に鏡面体２の形態変化が行うことができる所定間隙を設けている構成である。
【００５２】
前記鏡面体２は、金属板が常温で平板となっているので凸凹２ａが形成されず、所定温度以上になると金属板が凸凹になってそれに伴い鏡面体２自身も徐々に凸凹２ａが形成される。また、金属板がヒータａ１７の加熱に敏感に反応させるために、専ら熱を遮断するための層を形成している場合には、それらの層をなくすことが望ましい。
【００５３】
次に、本実施形態に係るドライヤーについての動作について説明する。このドライヤーは、使用前においては、ヒータ１７ａの熱もなく介挿されている金属板も膨張せず、鏡面体２も常温であり青のままである。次に、ドライヤーを使用すべく、第１のスイッチ１３ａを操作してヒータ１７ａを使わずファン１６だけを回すと、使用前の状態と同様に、ヒータ１７ａの熱もなく介挿されている金属板も膨張せず、鏡面体２も常温であり青のままである。次に、第２のスイッチ１３ｂを操作してヒータ１７ａをＯＮにしてファン１６を回すと、使用前の状態及びファン１６だけの使用の状態と異なり、まず、ヒータ１７ａにより本体ケース１８が加熱され、続けて、金属板が加熱されて金属板の一部が膨張する。金属板が膨張することにより、鏡面体２の凸凹が形成されはじめ、部分的に干渉縞が表示される。それと伴って、表示体２の色が青から赤になる。したがって、使用者にとっては、ドライヤーの温風使用をすることで、ドライヤーの中央部が青から赤に変わり、さらに、干渉縞が揺る動く様子を見ることができる。
【００５４】
このように本実施形態に係るドライヤーによれば、鏡面体２が熱により色が変化するサーモラベルのような部材からなり常温で青であって所定温度以上になると赤になり、鏡面体２と本体ケース１８との間に熱により一部が膨張する金属板を挿入し、被覆体１と鏡面体２との間に鏡面体２の形態変化が行うことができる所定間隙を設けているので、言い換えると、前記鏡面体２が、熱の外的作用により、被覆体１との対向面の形状を変化させ、鏡面体２が熱により配色を変化させるので、ヒータ１７ａがＯＮとなって加熱されることにより鏡面体２の色が青から赤となって加熱中であることを使用者に知らせると共に、同時に、金属板が部分的に膨張して鏡面体２の凸凹が形成され始め、干渉縞が生じていない状態から部分的に干渉縞が表示されるようになり使用者に強いインパクトと興味を引き出すことができる。特に、金属板の熱膨張係数を部分的に変えることにより長い間干渉縞に変化が生じ、見る人の興味を引く。
【００５５】
なお、本実施形態に係るドライヤーにおいては、鏡面体２の色を熱により変化する構成としたが、被覆体１を熱により色が変化するようにしてもよく、鏡面体２の色を熱により変化させる場合とくらべ、ドライヤーの中央部全体の色が変化する色彩変移をみることができる。
【図面の簡単な説明】
【００５６】
【図１】本発明の第１の実施形態に係るデザイン表示装置の被覆体１及び鏡面体２の斜視図である。
【図２】本発明の第１の実施形態に係るデザイン表示装置の表面加工した場合の被覆体の断面図である。
【図３】本発明の第１の実施形態に係るデザイン表示装置の被覆体の要部拡大断面図と斜視図である。
【図４】本発明の第２の実施形態に係るデザイン表示装置を適用したマッサージ機の斜視図と断面図である。
【図５】本発明の第２の実施形態に係るマッサージ機をリーフ状ステージ及びリーフ状ステージに載置した状態斜視図である。
【図６】本発明の第３の実施形態に係るリーフ状ステージの断面図である。
【図７】本発明の第４の実施形態に係るデザイン表示システムを適用したドライヤーの側面図である。
【図８】本発明の第４の実施形態に係るデザイン表示システムを適用したドライヤーの側面の断面図である。
【図９】本発明の第４の実施形態に係るデザイン表示システムを適用したドライヤーの正面の断面図である。
【図１０】本発明の第４の実施形態に係るデザイン表示システムを適用したドライヤーの正面の断面図である。
【図１１】本発明の第４の実施形態に係るデザイン表示システムを適用したドライヤーの正面の断面図である。
【図１２】本発明の第４の実施形態に係るデザイン表示システムを適用したドライヤーの正面の断面図である。
【図１３】本発明の第４の実施形態に係るデザイン表示システムを適用したドライヤーの側面図である。
【図１４】従来のデザイン表示装置を適用したドライヤーの側面の断面図である。
【符号の説明】
【００５７】
１  被覆体
１ａ  内面
１ｂ  外面
１ｃ  縁
２  鏡面体
２ａ  凸凹
２ｂ  縁
３ａ、３ｂ  中空
４  当接部
５  接合部
６  バイブレータ部
７  ＬＥＤランプ
８  電池部
９  基盤
１０  スイッチ
１１  リーフ状ステージ
１１ａ  底部
１１ｂ  蓋部
１１ｃ  ＬＥＤランプ
１１ｄ  電池部
１１ｅ  ボタン
１１ｆ
１１ｇ  ボタン
１１ｈ  ボタン
１１ｉ  ボタン
１２  吸込部
１２ａ  吸込網
１３  手持部
１３ａ  第１のスイッチ
１３ｂ  第２のスイッチ
１４  モータ
１５  モータケース
１６  ファン
１７  ヒータ部
１７ａ  ヒータ
１８  本体ケース
１９  前介在輪
２０  後介在輪
２１  本体部
２２  ノズル
２３  透明体
２４  表示体
１１２  吸込部
１１２ａ  吸込網
１１４  モータ
１１６  ファン
１１７ａ  ヒータ
１１８  本体ケース
１２２  ノズル
１２３  透視可能部
１２４  装飾体
【図１】
2005111747.tif 000003
【図２】
2005111747.tif 000004
【図３】
2005111747.tif 000005
【図４】
2005111747.tif 000006
【図５】
2005111747.tif 000007
【図６】
2005111747.tif 000008
【図７】
2005111747.tif 000009
【図８】
2005111747.tif 000010
【図９】
2005111747.tif 000011
【図１０】
2005111747.tif 000012
【図１１】
2005111747.tif 000013
【図１２】
2005111747.tif 000014
【図１３】
2005111747.tif 000015
【図１４】
2005111747.tif 000016